(57)【要約】【課題】手の支えを要することなくクリップ支持部にダクトクリップを容易に仮支持できると共に、狭い作業スペースでの取付作業にも使用可能なダクトクリップ取付工具を提供すること。【解決手段】ダクトクリップ３を着脱自在に支持可能なクリップ支持部４に、把手部５が突設されて成り、クリップ支持部４に、ダクトクリップ３を吸磁して仮支持可能な磁石６が設けられており、このクリップ支持部４に対する把手部５の突出方向を、把手部５がクリップ支持部４の後方へ突出する状態と、把手部５がクリップ支持部４の側方へ突出する状態とに切替え可能な突出方向切替え手段７を備えているダクトクリップ取付工具。【選択図】図１
2017201224.tif 000002
【特許請求の範囲】
【請求項１】
突き合せたダクト形成用筒形ユニットの接続用フランジ部同士を接続するためのダクトクリップを、この接続用フランジ部に対して取付けるために用いられるものであって、前記ダクトクリップを着脱自在に支持可能なクリップ支持部に、把手部が突設されているダクトクリップ取付工具において、前記クリップ支持部に、前記ダクトクリップを吸磁して仮支持可能な磁石が設けられており、このクリップ支持部に対する前記把手部の突出方向を、把手部がクリップ支持部の後方へ突出する状態と、把手部がクリップ支持部の側方へ突出する状態とに切替え可能な突出方向切替え手段を備えていることを特徴とするダクトクリップ取付工具。
【請求項２】
被覆用天板部と、この被覆用天板部の一側に設けられ突き合せた前記ダクト形成用筒形ユニットの一方の接続用フランジ部に係合する第一係合部と、前記被覆用天板部の他側に設けられ突き合せた前記ダクト形成用筒形ユニットの他方の接続用フランジ部に係合する第二係合部とから成る前記ダクトクリップの取付けに用いるものであって、前記クリップ支持部は、前記ダクトクリップの第一係合部を掛止可能な掛止部分と、前記ダクトクリップの被覆用天板部を沿設可能な天板沿設部分とから成り、このクリップ支持部の前記天板沿設部分に前記磁石が設けられていることを特徴とする請求項１記載のダクトクリップ取付工具。
【請求項３】
前記突出方向切替え手段は、前記把手部がクリップ支持部の後方へ突出する状態と、把手部がクリップ支持部の側方へ突出する状態とを位置決め可能に構成されていることを特徴とする請求項１，２のいずれか１項に記載のダクトクリップ取付工具。
【請求項４】
前記突出方向切替え手段は、前記クリップ支持部に前記把手部が回動自在に枢着されて、この把手部をクリップ支持部に対し回動することによりクリップ支持部の後方へ突出する状態と、クリップ支持部の側方へ突出する状態とに切替え可能に構成されていると共に、前記把手部をクリップ支持部の後方へ突出する状態に位置決め可能な後方位置決め部と、把手部をクリップ支持部の側方へ突出する状態に位置決め可能な側方位置決め部とを備えていることを特徴とする請求項１〜３のいずれか１項に記載のダクトクリップ取付工具。
【請求項５】
前記把手部に対して着脱自在に連結可能な延長用把手を備えていることを特徴とする請求項１〜４のいずれか１項に記載のダクトクリップ取付工具。
【請求項６】
前記延長用把手は、伸縮調整可能に構成されていることを特徴とする請求項５記載のダクトクリップ取付工具。
【発明の詳細な説明】
【技術分野】
【０００１】
本発明は、突き合せたダクト形成用筒形ユニットの接続用フランジ部同士を挟み込み接続するためのダクトクリップを、この接続用フランジ部に対して取付ける際に使用するダクトクリップ取付工具に関するものである。
【背景技術】
【０００２】
建築物の天井裏や床下などに設置される空調ダクトは、一般に複数の筒形ユニット１を必要な長さになるまで接続して構成されている。
【０００３】
この種ダクトの接続方法として最近主流の共板フランジ接続工法を、図６に基づいて説明すると、角筒形ユニット１両端の開口端部の四辺を夫々外方へ直角に折曲することでこの開口端部の四辺に接続用フランジ部２が形成され、この接続用フランジ部２同士をガスケット（図示省略）を介して突き合わせた上、各接続用フランジ部２の四隅に装着したＬ形のコーナーピース16をボルト17・ナット18止めすると共に、突き合わせた接続用フランジ部２をダクトクリップ３で挟み込むことで接続用フランジ部２同士（筒形ユニット１同士）が接続される構成である。
【０００４】
また、ダクトクリップ３の接続用フランジ部２への取付作業は、ダクトクリップ３を着脱自在に支持可能なクリップ支持部に、把手部が突設されて成るダクトクリップ取付工具（例えば、下記特許文献１の図６（ａ）の符号15で示した工具参照）を用いて行われている。
【先行技術文献】
【特許文献】
【０００５】
【特許文献１】特開２０１４−１３７１６４号公報
【発明の概要】
【発明が解決しようとする課題】
【０００６】
上記従来のダクトクリップ取付工具は、前記クリップ支持部に前記ダクトクリップ３の一端側折曲部（前記接続用フランジ部２への係合部）だけを引っ掛ける片持ち支持構造であるため、クリップ支持部に支持したダクトクリップ３が脱落し易く、それ故クリップ支持部に支持したダクトクリップ３を脱落しないように手で支えながら取付作業を行う必要があった。
【０００７】
また、ダクトは、天井等の構造物の近傍に配設されることがあるが、ダクトと天井等の構造物との隙間（作業スペース）が非常に小さい場合には、この隙間にダクトクリップ取付工具を入れてダクトクリップの取付作業を行うことが困難になってしまうという問題があった。
【０００８】
本発明は、このような従来のダクトクリップ取付工具の問題点に注目し、これを解決しようとするもので、手の支えを要することなくクリップ支持部にダクトクリップを容易に仮支持できると共に、狭い作業スペースでの取付作業にも対応使用可能となる実用性に優れたダクトクリップ取付工具を提供するものである。
【課題を解決するための手段】
【０００９】
添付図面を参照して本発明の要旨を説明する。
【００１０】
突き合せたダクト形成用筒形ユニット１の接続用フランジ部２同士を接続するためのダクトクリップ３を、この接続用フランジ部２に対して取付けるために用いられるものであって、前記ダクトクリップ３を着脱自在に支持可能なクリップ支持部４に、把手部５が突設されているダクトクリップ取付工具Ａにおいて、前記クリップ支持部４に、前記ダクトクリップ３を吸磁して仮支持可能な磁石６が設けられており、このクリップ支持部４に対する前記把手部５の突出方向を、把手部５がクリップ支持部４の後方へ突出する状態と、把手部５がクリップ支持部４の側方へ突出する状態とに切替え可能な突出方向切替え手段７を備えていることを特徴とするダクトクリップ取付工具に係るものである。
【００１１】
また、被覆用天板部８と、この被覆用天板部８の一側に設けられ突き合せた前記ダクト形成用筒形ユニット１の一方の接続用フランジ部２に係合する第一係合部９と、前記被覆用天板部８の他側に設けられ突き合せた前記ダクト形成用筒形ユニット１の他方の接続用フランジ部２に係合する第二係合部10とから成る前記ダクトクリップ３の取付けに用いるものであって、前記クリップ支持部４は、前記ダクトクリップ３の第一係合部９を掛止可能な掛止部分11と、前記ダクトクリップ３の被覆用天板部８を沿設可能な天板沿設部分12とから成り、このクリップ支持部４の前記天板沿設部分12に前記磁石６が設けられていることを特徴とする請求項１記載のダクトクリップ取付工具に係るものである。
【００１２】
また、前記突出方向切替え手段７は、前記把手部５がクリップ支持部４の後方へ突出する状態と、把手部５がクリップ支持部４の側方へ突出する状態とを位置決め可能に構成されていることを特徴とする請求項１，２のいずれか１項に記載のダクトクリップ取付工具に係るものである。
【００１３】
また、前記突出方向切替え手段７は、前記クリップ支持部４に前記把手部５が回動自在に枢着されて、この把手部５をクリップ支持部４に対し回動することによりクリップ支持部４の後方へ突出する状態と、クリップ支持部４の側方へ突出する状態とに切替え可能に構成されていると共に、前記把手部５をクリップ支持部４の後方へ突出する状態に位置決め可能な後方位置決め部13と、把手部５をクリップ支持部４の側方へ突出する状態に位置決め可能な側方位置決め部14とを備えていることを特徴とする請求項１〜３のいずれか１項に記載のダクトクリップ取付工具に係るものである。
【００１４】
また、前記把手部５に対して着脱自在に連結可能な延長用把手15を備えていることを特徴とする請求項１〜４のいずれか１項に記載のダクトクリップ取付工具に係るものである。
【００１５】
また、前記延長用把手15は、伸縮調整可能に構成されていることを特徴とする請求項５記載のダクトクリップ取付工具に係るものである。
【発明の効果】
【００１６】
本発明は上述のように構成したから、ダクトクリップを手で支えることなくクリップ支持部に吸磁して着脱自在に仮支持できて、ダクトクリップの接続用フランジ部への取付作業を容易に行うことができ、しかも、突出方向切替え手段により把手部をクリップ支持部の側方へ突出する状態に切替えでき、これにより狭い作業スペースでのダクトクリップ取付作業を行うことも可能となるなど、極めて実用性に優れたダクトクリップ取付工具となる。
【００１７】
また、請求項２記載の発明においては、磁石が設けられると共に、ダクトクリップを確実に吸磁して仮支持できるダクト支持部を簡易構成にして容易に設計実現可能となる一層実用性に優れた構成のダクトクリップ取付工具となる。
【００１８】
また、請求項３記載の発明においては、把手部の突出方向が勝手に切替わるような不都合がなく、クリップ支持部の後方へ突出する状態と側方へ突出する状態とが確固に位置決められる一層実用性に優れた構成のダクトクリップ取付工具となる。
【００１９】
また、請求項４記載の発明においては、把手部の突出方向を、クリップ支持部の後方へ突出する状態と側方へ突出する状態とに確実に切替えできると共に、各突出状態に把手部が確実に位置決められる突出方向切替え手段を、簡易構成により容易に設計実現可能となる一層実用性に優れた構成のダクトクリップ取付工具となる。
【００２０】
また、請求項５記載の発明においては、前記把手部に対して着脱自在に連結可能な延長用把手を備えているから、狭く且つ工具が届きにくい作業スペースにも、延長用把手を介して本ダクトクリップ取付工具を挿入できてダクトクリップ取付作業を行うことが可能となる一層実用性に優れた構成のダクトクリップ取付工具となる。
【００２１】
また、請求項６記載の発明においては、作業現場の状況に応じて延長用把手を伸縮調整できる一層実用性に優れた構成のダクトクリップ取付工具となる。
【図面の簡単な説明】
【００２２】
【図１】実施例１を示す、把手部をクリップ支持部の後方に突出させた状態の斜視図である。
【図２】図１とは異なる角度からの斜視図である。
【図３】実施例１を示す分解斜視図である。
【図４】実施例１を示す、把手部をクリップ支持部の側方に突出させた状態の斜視図である。
【図５】実施例１を用いたダクトクリップの取付方法を示す説明平面図である。
【図６】実施例１の使用状態、及びダクトの接続構造を示す説明斜視図である。
【図７】実施例１の、把手部に延長用把手を連結しようとする状態を示す斜視図である。
【図８】実施例１の把手部と延長用把手の連結構造を示す部分拡大側断面図である。
【図９】実施例１の、把手部に延長用把手を連結した状態での使用状態を示す説明正面図である。
【図１０】実施例１の、把手部に伸長させた延長用把手を連結した状態を示す斜視図である。
【図１１】実施例２を示す、把手部をクリップ支持部の後方に突出させた状態の斜視図である。
【発明を実施するための形態】
【００２３】
好適と考える本発明の実施形態を、図面に基づいて本発明の作用を示して簡単に説明する。
【００２４】
ダクトクリップ３をクリップ支持部４に支持すると、クリップ支持部４に設けられている磁石６の吸磁作用により、ダクトクリップ３がクリップ支持部４に対し着脱自在にして簡単には脱落しない仮支持状態となり、この仮支持状態のダクトクリップ３を、把手部５の操作により突き合せたダクト形成用筒形ユニット１の接続用フランジ部２に取付けできる。
【００２５】
従って、従来品のようにダクトクリップ３をクリップ支持部４から脱落しないように手で支える手間がないので、それだけダクトクリップ３の取付作業を容易に行うことができる。
【００２６】
また、把手部５は、突出方向切替え手段７を介してクリップ支持部４の後方へ突出する状態と、クリップ支持部４の側方へ突出する状態とに切替え可能である。
【００２７】
即ち、突出方向切替え手段７を介して把手部５をクリップ支持部４の側方へ突出させると、クリップ支持部４後方への突出量が小さくできる。
【００２８】
従って、ダクト形成用筒形ユニット１の周囲に広い空間（作業スペース）が存在する場合には、把手部５をクリップ支持部４の後方へ突出させて（従来のダクトクリップ取付工具と同等の形態にして）ダクトクリップ３の取付け作業を行うことができるし、例えば天井等の構造物34に非常に近いところへのダクト設置のように、ダクト形成用筒形ユニット１の接続用フランジ部２と構造物34との間の隙間（ダクトクリップ３の取付作業スペース）が狭い場合には、把手部５をクリップ支持部４の側方へ突出させることによりこの狭い作業スペースに本ダクトクリップ取付工具Ａを入れてダクトクリップ３の取付作業を行うことが可能となる。
【実施例１】
【００２９】
本発明の具体的な実施例１について図１〜図１０に基づいて説明する。
【００３０】
本実施例は、突き合せたダクト形成用筒形ユニット１の接続用フランジ部２同士を接続するためのダクトクリップ３を、この接続用フランジ部２に対して取付けるために用いられるものであって、前記ダクトクリップ３を着脱自在に支持可能なクリップ支持部４に、把手部５が突設されているダクトクリップ取付工具Ａに係るものである。尚、本実施例では、説明の都合上、クリップ支持部４側を前側、把手部５側を後側と規定して、以下説明する。
【００３１】
また、本実施例で用いるダクトクリップ３について説明すると、前記接続用フランジ部２に沿った長さを有するものであって、被覆用天板部８と、この被覆用天板部８の一側に設けられ突き合せた前記ダクト形成用筒形ユニット１の一方の接続用フランジ部２に係合する第一係合部９と、前記被覆用天板部８の他側に設けられ突き合せた前記ダクト形成用筒形ユニット１の他方の接続用フランジ部２に係合する第二係合部10と、この第二係合部10の下部に第一係合部９側へ傾斜するようにして下方へ延設状態に設けられ突き合せた前記ダクト形成用筒形ユニット１の他方の接続用フランジ部２の基端部付近に圧接する脚部19とから成るものである。
【００３２】
更に詳しくは、一枚の長方形状の金属製板材を折曲して構成されているもので、側面視で断面略山形（への字形）をなすように折曲された前記被覆用天板部８の一側が、側面視で断面略く字形に折曲されてこの一側く字状部分が前記第一係合部９として構成され、被覆用天板部８の他側が、側面視で第一係合部９と左右対称の断面略く字形に折曲されて、この他側く字状部分が前記第二係合部10として構成され、さらにこの第二係合部10の下部が第一係合部９側へ傾斜しつつ下方へ延設する形状に折曲されてこの下部傾斜部が前記脚部19として構成されて、側面視略７字状を呈する形状に構成されている（図５，図６参照）。
【００３３】
本実施例のクリップ支持部４は、前記ダクトクリップ３の第一係合部９を掛止可能な掛止部分11と、この掛止部分11に第一係合部９を掛止めた際に前記ダクトクリップ３の被覆用天板部８を沿設可能な天板沿設部分12とから構成されている。
【００３４】
具体的には、クリップ支持部４は、図１〜図５に示すように、一枚の方形状の金属板が側面視で前記被覆用天板部８に同調する断面略山形（への字板形）に折曲されてこのヘ字状部分が前記天板沿設部分12として構成され、更に、この天板沿設部分12の一端側が側面視で断面コ字状に折曲されてこのコ字状部分が前記掛止部分11として構成されている（図５参照）。
【００３５】
また、本実施例では、前記クリップ支持部４に、前記ダクトクリップ３を吸磁して仮支持可能な磁石６が設けられている。
【００３６】
具体的には、クリップ支持部４の前記天板沿設部分12の他端側部分に、前記磁石６が設けられている。また、この磁石６は、径小な円板形のものが採用されて、天板沿設部分12の他端側部分に、この他端側部分の板面と略面一に表出するようにして埋設状態に設けられている。
【００３７】
従って、クリップ支持部４の掛止部分11にダクトクリップ３の第一係合部９を引っ掛けた上で天板沿設部分12にダクトクリップ３の被覆用天板部８を沿設させると、磁石６の吸磁作用により、ダクトクリップ３がクリップ支持部４に対し着脱自在にして、手で支えずともクリップ支持部４から簡単には脱落しない仮支持状態となる構成としている。
【００３８】
本実施例の把手部５は、金属製丸パイプ材を採用して構成されている。
【００３９】
また、本実施例の、クリップ支持部４と把手部５との連結構造を説明すると、クリップ支持部４に金属製の連結部材20が付設されて、この連結部材20に把手部５が連結されている。
【００４０】
連結部材20は、図１〜図５に示すように、一枚の平面視方形板状の金属製板材から構成され、この金属製板材の一側端部と対向他側端部とが略直角上方へ折曲された側面視略コ字板状に形成されている。
【００４１】
また、この連結部材20は、一側の立設板部を前側とし、この前側立設板部に、前記クリップ支持部４の天板沿設部分12の他側板部が重合状態に付設（溶接）されて、この連結部材20の前側立設板部から上斜め前方に向かってクリップ支持部４の掛止部分11が突出する形態に構成されている。
【００４２】
また、この連結部材20の中心部には、枢支ボルト21が立設状態に設けられている一方、前記把手部５の前端部分が偏平な平面視舌片状に圧潰されていると共に、この前端の偏平部分22に前記枢支ボルト21を挿通する軸受孔23が貫通形成されている。
【００４３】
そして、この枢支ボルト21を軸受孔23に挿通して連結部材20の底板部に偏平部分22を重合した上で、枢支ボルト21に蝶ナット24を螺着して締付けすることにより、連結部材20に把手部５が連結固定されている。図中符号25は座金である。
【００４４】
また、本実施例では、このクリップ支持部４に対する前記把手部５の突出方向を、図１に示されている把手部５がクリップ支持部４の後方へ突出する状態（把手部５がクリップ支持部４に支持されているダクトクリップ３の長さ方向と直交する方向へ突出する状態）と、図４に示されている把手部５がクリップ支持部４の側方へ突出する状態（把手部５がクリップ支持部４に支持されているダクトクリップ３の長さ方向と平行な方向へ突出する状態）とに切替え可能な突出方向切替え手段７を備えている。
【００４５】
具体的には、前記把手部５を締付固定している前記蝶ナット24を緩めることにより、前記枢支ボルト21を支点にこの把手部５をクリップ支持部４（連結部材20）に対し回動させて前記二方向へ突出状態を切替え可能となるように構成されている。
【００４６】
また、この突出方向切替え手段７は、前記把手部５がクリップ支持部４の後方へ突出する状態と、把手部５がクリップ支持部４の側方へ突出する状態とを位置決め可能に構成されている。
【００４７】
具体的には、前記連結部材20に、前記把手部５がクリップ支持部４の後方へ突出する状態を位置決めする後方位置決め部13と、把手部５がクリップ支持部４の側方へ突出する状態を位置決めする側方位置決め部14とが設けられている。
【００４８】
更に詳しくは、連結部材20の後側立設板部の中間部分が上部開口形の背面視略Ｖ字形に切欠されて、このＶ字形切欠部が、把手部５を上方から嵌合配設することによりこの把手部５の回動を阻止して把手部５をクリップ支持部４（連結部材20）の後方へ突出する状態に位置決めする後方位置決め部13として構成されている。
【００４９】
また、連結部材20の前側立設板部の上端部左右が後方へ略直角に折曲され、後側立設板部の上端部左右は前方へ略直角に折曲されて、この前後の各折曲上端部間（連結部材20の左右部）が、前記把手部５を上方から嵌合配設することによりこの把手部５の回動を阻止して把手部５をクリップ支持部４の側方へ突出する状態に位置決めする前記側方位置決め部14として構成されている。尚、この左右の側方位置決め部14は、どちらにも把手部５を嵌合配設して位置決め可能である。
【００５０】
また、本実施例では、前記軸受孔23が長孔形状に形成されていて、前記蝶ナット24を緩めることで把手部５（偏平部分22）を枢支ボルト21（連結部材20）に対し傾動させることが可能となるように構成されており、これにより蝶ナット24を枢支ボルト21から完全に取り外さずとも、ある程度緩めて把手部５を傾動させることにより、その突出方向を前記二方向に切替え可能となるように構成されている。
【００５１】
従って、本実施例を用いたダクトクリップ３取付作業は、クリップ支持部３と把手部５との関係からダクト形成用筒形ユニット１に対しその外方へ把手部５を突出させた状態で行われる（図５参照）ことになるが、この際にダクト形成用筒形ユニット１の周囲に広い空間（作業スペース）が存在する場合には、図５及び図６中の側部の接続用フランジ部２への取付態様で示しているように把手部５をクリップ支持部４の後方へ突出させて（従来のダクトクリップ取付工具と同等の形態にして）ダクトクリップ３の取付け作業を行うことができる。
【００５２】
また、例えば天井等の構造物34に非常に近いところへのダクト設置のように、ダクト形成用筒形ユニット１の接続用フランジ部２と構造物34との間の隙間（ダクトクリップ３取付作業スペース）が狭い場合には、突出方向切替え手段７を介して把手部５をクリップ支持部４の側方へ突出させると、把手部５のクリップ支持部４後方への突出量（把手部５のダクト形成用筒形ユニット１に対する外方への突出量）が小さくなるので、この狭い隙間に本ダクトクリップ取付工具Ａを入れることが可能となり、そしてこの狭い隙間で側方を向くように突出している把手部５を操作することによってダクトクリップ３の取付作業を行うことが可能となる（図６中の上部の接続用フランジ部２への取付態様及び図９参照）。
【００５３】
また、本実施例は、前記把手部５に対して着脱自在に連結可能な延長用把手15を備えている。
【００５４】
延長用把手15は、図７に示すような長尺な丸パイプ状に構成されており、外側端部に細い棒状ハンドル26がこの延長用把手15の長さ方向と直交するようにして設けられ、このハンドル26を作業者が掴んで延長用把手15の回動操作を行えるように構成されている。
【００５５】
また、この延長用把手15は、図８に示すように、前記把手部５と同径寸法の外パイプ30と、この外パイプ30内に伸縮スライド自在に内装される内パイプ31とから成り、この内パイプ31の一側端部が前記外パイプ30の一側端部より外方に突出するようにして設けられて、この内パイプ31の一側端部が、前記把手部５の先端部に内挿可能に構成されている。
【００５６】
また、この延長用把手15の前記把手部５への連結構造は、把手部５の端部にピン通し孔27が設けられると共に、このピン通し孔27と連通させる連通孔28が前記内パイプ31の一側端部付近に設けられ、連通させたピン通し孔27と連通孔28とに、先折れロック式の着脱ピン29を挿通して抜け止めロックすることにより延長用把手15が把手部５に連結されるように構成されており、この連結状態から前記着脱ピン29を取り外すことにより延長用把手15を把手部５から取り外しできるように構成されている。
【００５７】
また、本実施例の延長用把手15は、伸縮調整可能に構成されている。
【００５８】
具体的には、図１０に示すように、前記外パイプ30の一側端部に伸縮用ピン通し孔32が設けられる一方、この伸縮用ピン通し孔32と連通させる伸縮用連通孔33が、前記内パイプ31にその長さ方向に間隔を置いて数箇所に設けられており、伸縮用ピン通し孔32と連通させる伸縮用連通孔33を選択して、この連通させた伸縮用ピン通し孔32と伸縮用連通孔33とに着脱ピン29を挿通して抜け止めロックすることにより、延長用把手15の長さ寸法を選択した長さに設定できるように構成されている。
【００５９】
従って、この延長用把手15を使用することにより、狭く且つ工具が届きにくい作業スペースにも、延長用把手15を介して本ダクトクリップ取付工具Ａを挿入できてダクトクリップ３の取付作業を行うことが可能となる（図１０参照）。
【実施例２】
【００６０】
本発明の具体的な実施例２について図１１に基づいて説明する。
【００６１】
本実施例は、長尺形のダクトクリップ３の支持に適したクリップ支持部４を構成した場合である。
【００６２】
具体的には、本実施例の前記取付部材20は、実施例１のそれよりも横広形状に形成され、この横広な取付部材20の前側立設板部の左右二箇所に前記クリップ支持部４が付設されていて、この二箇所のクリップ支持部４で長尺なダクトクリップ３を安定的に仮支持できるように構成されている。
【００６３】
他の構成は、前記実施例１と同様である。
【００６４】
尚、本発明は、実施例１，２に限られるものではなく、各構成要件の具体的構成は適宜設計し得るものである。
【符号の説明】
【００６５】
１  ダクト形成用筒形ユニット
２  接続用フランジ部
３  ダクトクリップ
４  クリップ支持部
５  把手部
６  磁石
７  突出方向切替え手段
８  被覆用天板部
９  第一係合部
10  第二係合部
11  掛止部分
12  天板沿設部分
13  後方位置決め部
14  側方位置決め部
15  延長用把手
Ａ  ダクトクリップ取付工具
【図１】
2017201224.tif 000003
【図２】
2017201224.tif 000004
【図３】
2017201224.tif 000005
【図４】
2017201224.tif 000006
【図５】
2017201224.tif 000007
【図６】
2017201224.tif 000008
【図７】
2017201224.tif 000009
【図８】
2017201224.tif 000010
【図９】
2017201224.tif 000011
【図１０】
2017201224.tif 000012
【図１１】
2017201224.tif 000013